【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
Ｕ字型ランプチューブ及び前記Ｕ字型ランプチューブの第１及び第２端部の外面を囲むようにそれぞれ形成され、第１及び第２駆動電圧がそれぞれ入力される第１及び第２外部電極で構成され、光を発生する複数のＵ字型ランプと、
前記第１外部電極に接続され第１駆動電圧を前記第１外部電極に提供する第１連結部材と、
前記第２外部電極に接続され第２駆動電圧を前記第２外部電極に提供する第２連結部材と、
を含み、前記第１及び第２連結部材は前記複数のＵ字型ランプの第１及び第２端部にそれぞれ配置されることを特徴とするバックライトアセンブリ。
【請求項２】
前記第１連結部材は、
導電性材質で形成され前記第１駆動電圧の入力を受ける第１ベース基板と、
前記第１ベース基板から突出し、前記１つ以上のＵ字型ランプの対応する第１端部に結合され、前記第１外部電極に前記第１駆動電圧を提供する１つ以上の第１電極クリップと、を含み、
前記第２連結部材は、
導電性材質で形成され前記第２駆動電圧の入力を受ける第２ベース基板と、
前記第２ベース基板から突出し、前記１つ以上のＵ字型ランプの該当する第２端部に結合され、前記第２外部電極に前記第２駆動電圧を提供する１つ以上の第２電極クリップと、を含むことを特徴とする請求項１記載のバックライトアセンブリ。
【請求項３】
前記第１及び第２連結部材を収納するモールドフレームを更に含むことを特徴とする請求項２記載のバックライトアセンブリ。
【請求項４】
前記モールドフレームは絶縁性材質で構成され、
前記モールドフレームには、前記第１及び第２連結部材と結合される第１及び第２結合部を備えることを特徴とする請求項３記載のバックライトアセンブリ。
【請求項５】
前記第１結合部は、スライディング方式で前記第１ベース基板が収納される第１スリットで構成され、
前記第２結合部は、スライディング方式で前記第２ベース基板が収納される第２スリットで構成されることを特徴とする請求項４記載のバックライトアセンブリ。
【請求項６】
前記第１スリットは、前記モールドフレームを第１側面から中心部側に切開して形成され、
前記第２スリットは、前記モールドフレームを前記第１側面と反対の第２側面から前記中心部側に切開して形成されることを特徴とする請求項５記載のバックライトアセンブリ。
【請求項７】
前記モールドフレームには、前記第１及び第２連結部材の前記第１及び第２電極クリップを露出させるための第１及び第２開口部が形成され、
前記第１及び第２開口部は、前記第１及び第２スリットの上部に設けられる前記モールドフレームを切開して形成されることを特徴とする請求項６記載のバックライトアセンブリ。
【請求項８】
前記第１及び第２連結部材は、前記第１及び第２ベース基板からそれぞれ突出した第１及び第２固定突起を更に含み、
前記モールドフレームは、前記第１及び第２固定突起をそれぞれ収納して、前記第１及び第２ベース基板が前記モールドフレームから離脱しないように固定する第１及び第２固定溝を有することを特徴とする請求項３記載のバックライトアセンブリ。
【請求項９】
前記モールドフレームから突出して前記Ｕ字型ランプが長手方向に流動することを防止する第１係止突起を更に含むことを特徴とする請求項３記載のバックライトアセンブリ。
【請求項１０】
前記第２連結部材は、前記第２ベース基板から突出して前記１つ以上のＵ字型ランプが長手方向に移動することを防止する第２係止突起を更に含むことを特徴とする請求項２記載のバックライトアセンブリ。
【請求項１１】
前記第１電極クリップは、隣接する２つの第２電極クリップとの間に介在され、
前記第１電極クリップは、隣接する前記２つの第２電極クリップと１０〜５０ｍｍの距離で離間して配置されることを特徴とする請求項２記載のバックライトアセンブリ。
【請求項１２】
前記Ｕ字型ランプチューブは、
所定方向に延長された第１発光部と、
前記第１発光部と平行に延長され、前記第１発光部より長さが長い第２発光部と、
所定の曲率を有して曲げられて前記第１及び第２発光部を連結する屈曲部と、
を含むことを特徴とする請求項２記載のバックライトアセンブリ。
【請求項１３】
前記第１及び第２連結部材を収納するモールドフレームを更に含み、
前記モールドフレームには、前記モールドフレームの第１側面から中心部側に切開し形成され、スライディング方式で前記第１ベース基板を収納するスリットが形成されることを特徴とする請求項１２記載のバックライトアセンブリ。
【請求項１４】
前記モールドフレームには、前記スリットの上部に設けられる前記モールドフレームを切開し形成され、前記第１連結部材の前記第１電極クリップを露出させる開口部が形成されることを特徴とする請求項１３記載のバックライトアセンブリ。
【請求項１５】
前記第１連結部材は、前記第１ベース基板から突出された固定突起を更に含み、
前記モールドフレームは、前記固定突起を収納して前記第１ベース基板が前記モールドフレームから離脱しないように固定する固定溝を有することを特徴とする請求項１３記載のバックライトアセンブリ。
【請求項１６】
前記第２連結部材は、前記第１側面と反対する前記モールドフレームの第２側面と隣接して前記モールドフレームの上面に固定されることを特徴とする請求項１３記載のバックライトアセンブリ。
【請求項１７】
前記モールドフレームは、前記第２ベース基板が固定された位置で前記上面から突出するボスを更に含み、
前記第２ベース基板には、前記ボスが形成された位置に対応して締結溝が形成され、
前記ボスは、前記締結溝に挿入された後に熱溶着され、前記第２連結部材を前記モールドフレームの上面に固定させることを特徴とする請求項１６記載のバックライトアセンブリ。
【請求項１８】
前記第１発光部と前記第２発光部との間の段差は、前記第１又は第２外部電極の長さより大きいことを特徴とする請求項１２記載のバックライトアセンブリ。
【請求項１９】
前記第２連結部材は、前記第１連結部材と平行に配置され、
前記第１連結部材と前記第２連結部材の離隔距離は、２ｍｍ以上であることを特徴とする請求項１記載のバックライトアセンブリ。
【請求項２０】
前記Ｕ字型ランプチューブは、
所定方向に延長された第１発光部と、
前記第１発光部と平行に延長された第２発光部と、
所定の曲率を有して曲げられて前記第１及び第２発光部を連結する屈曲部と、
を含むことを特徴とする請求項１記載のバックライトアセンブリ。
【請求項２１】
前記屈曲部に結合され前記１つ以上のＵ字型ランプを指定された位置に固定させるための１つ以上の固定部材を更に含むことを特徴とする請求項２０記載のバックライトアセンブリ。
【請求項２２】
前記Ｕ字型ランプから出射した光を拡散させる拡散板を更に含み、
前記第１発光部の中心から前記第２発光部の中心までの距離は、前記Ｕ字型ランプと前記拡散板の離間距離の３倍以下であることを特徴とする請求項２０記載のバックライトアセンブリ。
【請求項２３】
前記１つ以上のＵ字型ランプを収納する収納容器と、
前記収納容器に収納された前記１つ以上のＵ字型ランプの第１及び第２端部をカバーする第１モールドカバーと、
前記１つ以上のＵ字型ランプの屈曲部をカバーする第２モールドカバーと、
を更に含むことを特徴とする請求項２０記載のバックライトアセンブリ。
【請求項２４】
前記第１駆動電圧はレファレンス電圧であり、前記第２駆動電圧は前記レファレンス電圧を基準としてスイングする交流電圧であることを特徴とする請求項１記載のバックライトアセンブリ。
【請求項２５】
前記第１及び第２駆動電圧は、互いに反対位相を有してスイングする交流電圧であることを特徴とする請求項１記載のバックライトアセンブリ。
【請求項２６】
光を用いて画像を表示する表示パネルと、
前記表示パネルの下部に設けられ、前記光を発生して前記表示パネルに提供するバックライトアセンブリと、を含み、
前記バックライトアセンブリは、
Ｕ字型ランプチューブ及び前記Ｕ字型ランプチューブの第１及び第２端部の外面を囲むようにそれぞれ形成され、第１及び第２駆動電圧がそれぞれ入力される第１及び第２外部電極で構成され、光を発生する複数のＵ字型ランプと、
前記第１外部電極に接続され前記第１駆動電圧を前記第１外部電極に提供する第１連結部材と、
前記第２外部電極に接続され前記第２駆動電圧を前記第２外部電極に提供する第２連結部材と、
を含み、前記第１及び第２連結部材は前記複数のＵ字型ランプの第１及び第２端部にそれぞれ配置されることを特徴とする表示装置。
【請求項２７】
前記第１連結部材は、
導電性材質で形成され前記第１駆動電圧の入力を受ける第１ベース基板と、
前記第１ベース基板から突出し、前記Ｕ字型ランプの第１端部に結合され前記第１外部電極に前記第１駆動電圧を提供する１つ以上の第１電極クリップと、を含み、
前記第２連結部材は、
導電性材質で形成され前記第２駆動電圧の入力を受ける第２ベース基板と、
前記第２ベース基板から突出し、前記Ｕ字型ランプの第２端部に結合され前記第２外部電極に前記第２駆動電圧を提供する１つ以上の第２電極クリップと、を含むことを特徴とする請求項２６記載の表示装置。
【請求項２８】
絶縁性材質で形成され前記第１及び第２連結部材を収納するモールドフレームを更に含むことを特徴とする請求項２７記載の表示装置。
【請求項２９】
前記Ｕ字型ランプチューブは、
所定方向に延長された第１発光部と、
前記第１発光部と平行に延長され、前記第１発光部より長さが長い第２発光部と、
所定の曲率を有して曲げられて前記第１及び第２発光部を連結する屈曲部と、
を含むことを特徴とする請求項２６記載のバックライトアセンブリ。
【請求項３０】
前記バックライトアセンブリと前記表示パネルを収納する収納容器と、
前記収納容器と対向して結合し、前記表示パネルの一部分をカバーして前記表示パネルを前記収納容器に固定させるトップシャーシと、
を更に含むことを特徴とする請求項２６記載の表示装置。
【請求項３１】
前記インバータは、前記収納容器の背面に具備されることを特徴とする請求項３０記載の表示装置。
【請求項３２】
複数のＵ字型ランプと、
前記複数のＵ字型ランプの第１及び第２端部と電気的に接続された１つの連結部材と、
前記複数のＵ字型ランプに電気的に接続された１つのインバータと、
を含み、前記インバータは前記複数のＵ字型ランプのそれぞれのランプに第１及び第２駆動電圧を提供することを特徴とするバックライトアセンブリ。
【請求項３３】
前記バックライトアセンブリは、光を放出する上面、前記上面と向かい合う下面、及び複数の側面を有し、前記ランプのそれぞれは前記バックライトアセンブリの複数の側面のうち、第１側面に隣接した第１及び第２外部電極を有することを特徴とする請求項３２記載のバックライトアセンブリ。
【請求項３４】
第１及び第２ワイヤーは、前記インバータから前記バックライトアセンブリの第１側面に延長されることを特徴とする請求項３３記載のバックライトアセンブリ。
【手続補正２】
【補正対象書類名】明細書
【補正対象項目名】０００６
【補正方法】変更
【補正の内容】
【０００６】
本発明の１特徴によるバックライトアセンブリは、第１及び第２駆動電圧に応答して光を発生する複数のＵ字型ランプ、第１連結部材、及び第２連結部材を含む。
前記それぞれのＵ字型ランプは、Ｕ字型ランプチューブ及び前記Ｕ字型ランプチューブの第１及び第２端部の外周面を囲むようにそれぞれ形成され、第１及び第２駆動電圧がそれぞれ入力される第１及び第２外部電極を含む。
【手続補正３】
【補正対象書類名】明細書
【補正対象項目名】０００７
【補正方法】変更
【補正の内容】
【０００７】
前記第１連結部材は、前記第１外部電極に接続され 前記第１駆動電圧を前記第１外部電極に提供し、前記第２連結部材は、前記第２外部電極に接続され 前記第２駆動電圧を前記第２外部電極に提供する。  前記第１及び第２連結部材は、前記複数のＵ字型ランプの第１及び第２端部にそれぞれ配置される。
【手続補正４】
【補正対象書類名】明細書
【補正対象項目名】０００９
【補正方法】変更
【補正の内容】
【０００９】
前記バックライトアセンブリは、第１及び第２駆動電圧に応答して光を発生する複数のＵ字型ランプ、第１連結部材、及び第２連結部材を含む。
前記それぞれのＵ字型ランプは、Ｕ字型ランプチューブ及び前記Ｕ字型ランプチューブの第１及び第２端部の外周面を囲むようにそれぞれ形成され、第１及び第２駆動電圧がそれぞれ入力される第１及び第２外部電極を含む。
【手続補正５】
【補正対象書類名】明細書
【補正対象項目名】００１０
【補正方法】変更
【補正の内容】
【００１０】
前記第１連結部材は、前記第１外部電極に接続され 前記第１駆動電圧を前記第１外部
電極に提供し、前記第２連結部材は、前記第２外部電極に接続され 前記第２駆動電圧を
前記第２外部電極に提供する。  前記第１及び第２連結部材は、前記複数のＵ字型ランプの第１及び第２端部にそれぞれ配置される。
本発明の他の特徴によるバックライトアセンブリは、複数のＵ字型ランプ、１つの連結部材、及び１つのインバータを含む。
前記１つの連結部材は、前記複数のＵ字型ランプの第１及び第２端部と電気的に接続される。前記インバータは、前記複数のＵ字型ランプに電気的に接続される。前記インバータは、前記複数のＵ字型ランプのそれぞれのランプに第１及び第２駆動電圧を提供する。
【手続補正６】
【補正対象書類名】明細書
【補正対象項目名】００２１
【補正方法】変更
【補正の内容】
【００２１】
モールドフレーム３００は結合部を含み、このモールドフレーム３００は、第１及び第２電極板２１０、２２０に結合することができる。結合部には、第１ベース基板２１１を収納するための第１スリット３１１及び第２ベース基板２２１を収納するための第２スリット（図示せず）が形成される。第１スリット３１１は、モールドフレーム３００を第１側面３１０から中心部に切開して形成され、第２スリット３２１はモールドフレーム３００を第１側面３１０と反対の第２側面３２０から中心部に切開して形成される。従って、第１電極板２１０は、第１方向Ｄ１にスライドさせることで第１スリット３１１に収納され、第２電極板２２０は第１方向Ｄ１と反対の第２方向Ｄ２にスライドさせることで第２スリット３２１に収納される。
【手続補正７】
【補正対象書類名】明細書
【補正対象項目名】００２２
【補正方法】変更
【補正の内容】
【００２２】
又、モールドフレーム３００には、多数の第１及び第２開口部３１２、３２２が形成される。この多数の第１及び第２開口部３１２、３２２は結合部を構成し、モールドフレーム３００はこの開口部３１２、３２２を介して第１及び第２電極板２１０、２２０と結合される。多数の第１開口部３１２は、第１スリット３１１より上部に位置するモールドフレーム３００を切開して形成され、多数の第２開口部３２２は、第２スリット３２１より上部に位置するモールドフレーム３００を切開して形成される。従って、多数の第１電極クリップ２１２は、多数の第１開口部３２１を通じてモールドフレーム３００の表面上に露出し、多数の第２電極クリップ２２２は、多数の第２開口部３２２を通じてモールドフレーム３００の表面上に露出する。
【手続補正８】
【補正対象書類名】明細書
【補正対象項目名】００４１
【補正方法】変更
【補正の内容】
【００４１】
図９は、図７に図示されたIV-IV'に沿って切断した断面図である。
図６、図７、及び図９に示すように、バックライトアセンブリ５０１の第２電極板２２０は、モールドフレーム３００の第１側面３１０の反対側の第２側面３２０と隣接して、モールドフレーム３００の上面３３０に固定される。モールドフレーム３００は結合部を含み、モールドフレーム３００はこの結合部を介して第２電極板２２０と結合される。結合部は第２電極板２２０の第２ベース基板２２０が固定された位置で上面３３０から突出するボス３３１を具備する。又、第２ベース基板２２０には、ボス３３１と結合する締結溝２２５が形成される。